(57)【特許請求の範囲】
【請求項１】
単梯子を重合せ継手によって連結するための一対の梯子連結具を有する梯子連結装置であって、
各梯子連結具は、前記単梯子の中空踏桟に挿入される真っ直ぐな芯材と、該芯材の基端部に一体的に連結された板状の係留部材と、前記芯材の先端部に取付けられ且つ前記中空芯材から外方に突出する係止具とを有し、
一方の梯子連結具の係留部材は、他方の梯子連結具の係止具によって前記単梯子の側面に係留されることを特徴とする梯子連結装置。
【請求項２】
前記係止具は、前記芯材の先端部に螺合又は螺入するボルトからなり、前記係留部材は、前記ボルトのボルトヘッドによって前記梯子の側面に締付けられることを特徴とする請求項１に記載の梯子連結装置。
【請求項３】
前記係留部材は、前記ボルトの軸部を受入れ可能な下面開放形又は上面開放形の溝又は切欠き部を備えた板状部材からなり、前記ボルトヘッドは、前記係留部材の外側面に締付けられることを特徴とする請求項２に記載の梯子連結装置。
【請求項４】
前記係留部材は、前記溝又は切欠き部内に位置する前記軸部が該溝又は切欠き部から離脱するのを防止する突起を前記外側面に有することを特徴とする請求項３に記載の梯子連結装置。
【請求項５】
前記突起は、連結後の単梯子の使用時、或いは、前記ボルトの締付け時に、前記軸部が溝又は切欠き部から離脱しようとすると、前記ボルトの座金又はボルトヘッドに当接して前記ボルト及び前記係留部材の相対変位を阻止し、前記軸部が溝又は切欠き部から離脱するのを防止することを特徴とする請求項４に記載の梯子連結装置。
【請求項６】
前記ボルトヘッドから前記係留部材に作用する締付け力を緩和する弾性体が前記ボルトヘッドと前記係留部材との間に介挿されることを特徴とする請求項２乃至５のいずれか１項に記載の梯子連結装置。
【請求項７】
前記溝又は切欠き部は、前記芯材の中心軸線を中心とした所定の曲率半径を有する円弧状の溝又は切欠き部からなることを特徴とする請求項３乃至５のいずれか１項に記載の梯子連結装置。
【請求項８】
前記踏桟内に挿入された各梯子連結具の芯材は、所定距離(r)を隔てて平行に配置され、前記係留部材は、上側の単梯子の自重による単梯子同士の相対変位によって回動して、前記芯材の水平離間距離(r')を短縮せしめ、前記芯材は、前記水平離間距離の短縮により前記踏桟の内面に当接することを特徴とする請求項１乃至７のいずれか１項に記載の梯子連結装置。
【請求項９】
前記芯材は、前記係留部材に対して垂直に連結され、対をなす前記梯子連結具は、点対称の構造及び各部寸法を有することを特徴とする請求項１乃至８のいずれか１項に記載の梯子連結装置。
【請求項１０】
１．５ｍ以上の長さを有する重合せ継手によって複数の単梯子を上下に連結してなる梯子において、
請求項１乃至９のいずれか１項に記載された梯子連結装置を前記重合せ継手の範囲内で上下方向に間隔を隔てて配置し、該梯子連結装置によって上下の単梯子を組付けたことを特徴とする梯子。
【請求項１１】
１．５ｍ以上の長さを有する重合せ継手によって複数の単梯子を上下に連結する単梯子連結方法において、
請求項１乃至９のいずれか１項に記載された梯子連結装置を前記重合せ継手の範囲内で上下方向に間隔を隔てて配置し、該梯子連結装置によって上下の単梯子を組付けることを特徴とする単梯子連結方法。
【請求項１２】
前記単梯子の支柱を地面又は床面に水平に置いた状態で前記梯子連結装置によって前記単梯子を組付けた後、該単梯子の組立体を起立させ、上側の単梯子の自重による単梯子同士の相対変位によって前記係留部材を回動させて前記芯材の水平離間距離を短縮せしめ、これにより、前記芯材を前記踏桟の内面に当接させることを特徴とする請求項１１に記載の梯子連結方法。
【発明の詳細な説明】
【技術分野】
【０００１】
本発明は、梯子（はしご）連結装置に関するものであり、より詳細には、番線等の緊締作業に依存することなく、連結部の曲げ剛性等を十分に確保するとともに、重合せ継手の長さや、単梯子同士の相対位置を規則的且つ容易に定めることができる梯子連結装置に関するものである。
【背景技術】
【０００２】
建設現場等において昇降手段又は上下移動手段として使用される金属製の梯子が知られている。この種の梯子は、現場内搬送等のための軽量性又は可搬性や、長年に亘って繰り返し使用される利用形態に耐える強度及び耐久性等のために、アルミニウム合金等の軽量合金により一般に製作される（JIS S 1121（アルミニウム合金製脚立及びはしご））。
【０００３】
このような金属製梯子として、左右の支柱と、支柱間に水平に延びる多数の踏桟とから構成される単梯子（特開平9-209672号公報）、複数の単梯子を伸縮式に連結してなる伸縮形梯子（特開平10-140957号公報）、複数の単梯子をヒンジによって回動可能に連結してなる折畳み式梯子（特開2006-183259号公報)等が知られている。
【０００４】
単梯子は、伸縮形梯子や折畳み式梯子と比べて汎用性、可搬性等の点で有利であり、多くの建設現場等において汎用的に使用されている。  
【０００５】
しかしながら、単梯子の最大使用長さには限界があり、単梯子の全長は、一般に３〜５ｍ程度であるにすぎない。このため、上部支点を構成する構造体又は仮設部材等が単梯子の長さ範囲に存在しない場合、単梯子を立て掛けることができない。このような場合、複数の単梯子を番線（鉄線）等によって緊結して相互連結し、梯子の全長を延長することが実際に行われている。
【０００６】
図１２には、長さＬの２つの単梯子Ａ１、Ａ２を部分的に重合せ、クロス形又はたすき形に結束した１２番線以上の番線Ｂによって重合わ部分を緊締し、これにより、梯子の総全長Ｔを延長した構成が示されている。このように単梯子Ａ１、Ａ２を部分的に重合せた構成の連結部は、重合せ継手と呼ばれている。図１２に示すように下側の単梯子Ａ１の最下端部は地盤Ｇに接地し、上側の単梯子Ａ２の最上部は建物等の構造体Ｃに支持される。
【０００７】
労働安全衛生規則第５２７条には、このような梯子の連結に関し、「継手が重合せ継手のときは、接続部において１．５メートル以上を重ね合せて２箇所以上において堅固に固定すること。」と規定されている。従って、例えば、重合せ継手の長さＳが１．５ｍであり、各単梯子Ａ１、Ａ２の全長Ｌが３〜５ｍであるとき、梯子の総全長Ｔは、４．５〜８．５ｍである。
【先行技術文献】
【特許文献】
【０００８】
【特許文献１】特開平9-209672号公報
【特許文献２】特開平10-140957号公報
【特許文献３】特開2006-183259号公報
【発明の開示】
【発明が解決しようとする課題】
【０００９】
しかしながら、このような重合せ継手による単梯子の連結は、番線結束に依存した構造のものであるので、継手の強度は人為的な番線緊締作業の適否又は良否によって影響される。このため、安定した継手強度を確保するには、堅固な緊締作業が常に必要とされるが、このような人為的作業を常に確実に行うことは、現実問題として、極めて困難である。
【００１０】
また、連結部の曲げ剛性等は番線の結束力又は引張強度に依存したものであるが、各番線の結束力又は引張強度は比較的低いことから、利用者の体重や、強風等の外力によって連結部が変形することが懸念される。
【００１１】
更には、このような番線結束による連結によっては、重合せ継手の長さや、単梯子同士の相対位置を規則的且つ容易に定めることは困難である。
【００１２】
本発明は、このような事情に鑑みてなされたものであり、その目的とするところは、  番線等の緊締作業に依存することなく、連結部の曲げ剛性等を十分に確保するとともに、重合せ継手の長さや、単梯子同士の相対位置を規則的且つ容易に定めることができる梯子連結装置を提供することにある。
【課題を解決するための手段】
【００１３】
本発明は、上記目的を達成すべく、単梯子を重合せ継手によって連結するための一対の梯子連結具を有する梯子連結装置であって、
各梯子連結具は、前記単梯子の中空踏桟に挿入される真っ直ぐな芯材と、該芯材の基端部に一体的に連結された板状の係留部材と、前記芯材の先端部に取付けられ且つ前記中空芯材から外方に突出する係止具とを有し、
一方の梯子連結具の係留部材は、他方の梯子連結具の係止具によって前記単梯子の側面に係留されることを特徴とする梯子連結装置を提供する。
【００１４】
本発明によれば、上下の単梯子を重合せ継手の形態に整列配置し、各梯子連結具の芯材を単梯子の中空踏桟内に挿入し、一方の梯子連結具の係留部材を他方の梯子連結具の係止具に係留することにより、上下の単梯子を組付けることができる。このような梯子連結装置によれば、番線等の緊締作業に依存することなく、単梯子を連結することができる。また、上記構成の梯子連結装置によれば、芯材、係留部材及び係止具の剛性によって連結部の曲げ剛性、剪断剛性、圧縮・引張剛性等を十分に確保することができる。更に、上記構成の梯子連結装置によれば、各梯子連結具の位置は、単梯子の中空踏桟の位置によって決定されるので、重合せ継手の長さや、単梯子同士の相対位置を規則的且つ容易に定めることができる。
【００１５】
他の観点より、本発明は、１．５ｍ以上の長さを有する重合せ継手によって複数の単梯子を上下に連結してなる梯子において、上記構成の梯子連結装置を重合せ継手の範囲内で上下方向に間隔を隔てて配置し、該梯子連結装置によって上下の単梯子を組付けたことを特徴とする梯子を提供する。
【００１６】
更に他の観点より、本発明は、１．５ｍ以上の長さを有する重合せ継手によって複数の単梯子を上下に連結する単梯子連結方法において、上記構成の梯子連結装置を重合せ継手の範囲内で上下方向に間隔を隔てて配置し、該梯子連結装置によって上下の単梯子を組付けることを特徴とする単梯子連結方法を提供する。
【図面の簡単な説明】
【００１７】
【図１】図１（Ａ）及び図１（Ｂ）は、単梯子の正面図及び側面図である。
【図２】図２は、本発明の梯子連結装置によって２連に連結した単梯子の使用状態を示す側面図である。
【図３】図３は、本発明の梯子連結装置を構成する一対のＬ形連結具を示す平面図である。
【図４】図４は、係留板を有する基端部の側から見たＬ形連結具の側面図である。
【図５】図５は、六角ボルトを有する先端部の側から見たＬ形連結具の側面図である。
【図６】図６（Ａ）及び図６（Ｂ）は、単梯子の構造を示す横断面図及び部分側面図である。
【図７】図７（Ａ）及び図７（Ｂ）は、単梯子を重合せ継手形態に連結すべく整列配置した状態を示す横断面図及び部分側面図である。
【図８】図８（Ａ）及び図８（Ｂ）は、一方のＬ形連結具を単梯子に装着した状態を示す横断面図及び部分側面図である。
【図９】図９（Ａ）及び図９（Ｂ）は、他方のＬ形連結具を単梯子に更に装着した状態を示す横断面図及び部分側面図である。
【図１０】図１０（Ａ）、図１０（Ｂ）及び図１０（Ｃ）は、係留板を六角ボルトに係止・係留した状態を示す横断面図、部分側面図及び部分斜視図である。なお、図１０（Ｃ）において、梯子の支柱及び中空踏桟は、図示を省略されている。
【図１１】図１１は、使用状態における梯子連結装置の状態を示す部分側面図である。
【図１２】図１２は、番線を用いた従来の重合せ継手によって２連に連結した単梯子の使用状態を示す側面図である。
【発明を実施するための形態】
【００１８】
本発明の好適な実施形態によれば、上記係止具は、芯材の先端部に螺合又は螺入するボルトからなり、上記係留部材は、ボルトのボルトヘッドによって梯子の側面に締付けられる。好ましくは、係留部材は、ボルトの軸部を受入れ可能な下面開放形又は上面開放形の溝又は切欠き部を備えた板状部材からなり、ボルトヘッドは、係留部材の外側面に締付けられる。更に好ましくは、芯材は、係留部材の構面に対して垂直に連結され、対をなす梯子連結具は、点対称の構造及び各部寸法を有する。点対称の構成を有する一対の梯子連結具は、梯子を連結する際に各梯子連結具を区別なく使用し得るので、使用経験や、格別の予備知識のないユーザが取扱いに戸惑うことなく、しかも、各梯子連結具を取り違えることなく確実に梯子連結具を使用することができる。
【００１９】
本発明の更に好適な実施形態によれば、係留部材は、溝又は切欠き部内に位置するボルトの軸部が溝又は切欠き部から離脱するのを防止する突起を外側面に有し、バネ座金等の弾性体がボルトヘッドと係留部材との間に介挿される。弾性体は、ボルトヘッドから係留部材に作用する締付け力を緩和する。突起は、ボルトの締付け時、或いは、連結後の単梯子の使用時、ボルトの軸部が溝又は切欠き部から離脱しようとすると、ボルトの座金又はボルトヘッドに当接してボルト及び係留板の相対変位を阻止し、これにより、ボルトの軸部が溝又は切欠き部から離脱するのを防止する。
【００２０】
好ましくは、溝又は切欠き部は、芯材の中心軸線を中心とした所定の曲率半径を有する円弧状の溝又は切欠き部からなる。更に好ましくは、踏桟内に挿入された各梯子連結具の芯材は、初期的に所定距離(r)を隔てて平行に配置される。係留部材は、上側の単梯子の自重による単梯子同士の相対変位によって回動して、芯材の水平離間距離(r')を短縮せしめ、この結果、芯材は踏桟の内面に当接する。
【００２１】
本発明の好適な実施例に係る梯子連結方法によれば、単梯子は、その支柱を地面又は床面に水平に置いた状態で梯子連結装置によって組付けられ、梯子組立体は起立される。係留部材は、上側の単梯子の自重による単梯子同士の相対変位によって僅かに回動し、芯材の水平離間距離を短縮せしめる。この結果、芯材は踏桟の内面に当接し、上下の単梯子は堅固に連結される。
【実施例】
【００２２】
以下、添付図面を参照して、本発明の好適な実施例に係る梯子連結装置について詳細に説明する。
【００２３】
図１（Ａ）及び図１（Ｂ）は、単梯子の正面図及び側面図であり、図２は、本発明に係る梯子連結装置によって単梯子を２連に連結した状態を示す側面図である。
【００２４】
単梯子Ａ１、Ａ２は、対をなすアルミニウム合金製の支柱Ｄと、左右の支柱Ｄの間に水平に掛け渡されたアルミニウム合金製の中空踏桟Ｋとから構成される。中空踏桟Ｋの両端部は支柱Ｄを貫通し、中空踏桟Ｋの中空部Ｖが支柱Ｄの側面に開口する。支柱Ｄの上端部には、樹脂製又はゴム製の上端具Ｅが取付けられ、支柱Ｄの下端部には、下端具（滑止め用端具）が取付けられる。下端具Ｆは、支柱Ｄの下端部に固定された支軸Ｊと、支軸Ｊに回動可能に支持された脚部Ｍと、脚部Ｍの下面に取付けられた樹脂製又はゴム製の接地部Ｎとから構成される。補強金具Ｑの各端部が、最下段の中空踏桟Ｋと支柱Ｄの下端部とに接合される。補強金具Ｑは、単梯子Ａ１、Ａ２の下端部の剛性を向上する斜材（ブレース）として機能する。
【００２５】
図２に示す如く、２つの単梯子Ａ１、Ａ２が上下の梯子連結装置１によって重合せ継手形態に連結される。上側の梯子連結装置１は、下側単梯子Ａ１の最上段の中空踏桟Ｋと、上側単梯子Ａ２の中段（例えば、下から５段目）の中空踏桟Ｋとに係合する。下側の梯子連結装置１は、下側単梯子Ａ１の中段（例えば、上から５段目）の中空踏桟Ｋと、上側単梯子Ａ２の最下段の中空踏桟Ｋとに係合する。下側の単梯子Ａ１の最下端部は地盤Ｇに接地し、上側の単梯子Ａ２の最上部は、建物等の構造体Ｃに支持される。なお、各単梯子Ａ１、Ａ２の全長Ｌは約３〜５ｍ、例えば、４ｍであり、梯子の総全長Ｔは、約４．５〜８．５ｍ、例えば、６．５ｍであり、重合せ継手の長さＳは１．５〜２ｍの範囲内、例えば、１．５ｍに設定される。
【００２６】
図３は、本発明の梯子連結装置１を構成する２つのＬ形連結具２を示す平面図である。また、図４は、Ｌ形連結具２の基端部側の側面図であり、図５は、Ｌ形連結具２の先端部側の側面図である。
【００２７】
図３に示す如く、梯子連結装置１は、一対のＬ形連結具２から構成される。２つのＬ形連結具２（以下、「連結具２」という。）は同一の構造及び各部寸法を有する同一製品である。各連結具２は、直径約２０mmの円形鋼管からなる直杆状の中空芯材３と、中空芯材３の基端部に一体的に連結された鋼製の係留板４と、中空芯材３の先端部に固定された六角ナット５と、六角ナット５に螺入する座金組込み六角ボルト６とから構成される。座金組込み六角ボルト６（以下、「六角ボルト６」という。）は、平座金６ａ、雄螺子部６ｂ、ボルトヘッド６ｃ及びバネ座金６ｄを有する。六角ボルト６は、中空芯材３から突出し、他の連結具２の係留板４を係留する係止具又は係留具を構成する。
【００２８】
中空芯材３は、係留板４の構面に対して垂直且つ一体的に連結され、中空踏桟Ｋの中空部を貫通する。図４及び図５に示すように、係留板４は、全体的に長円形輪郭を有する板体からなる。係留板４は、六角ボルト６の雄螺子部６ｂを受入れる下方開放形（又は上方開放形）の湾曲溝（又は切欠き部）７と、六角ボルト６の平座金６ａに係合可能な一対の円形突起８とを有する。湾曲溝７の中心線（図５及び図６に一点鎖線で示す）は、中空芯材３の中心軸線Ｘを中心とした曲率半径ｒの円弧である。
【００２９】
図６（Ａ）及び図６（Ｂ）は、単梯子Ａ１、Ａ２の構造を示す横断面図及び部分側面図である。
【００３０】
前述の如く、単梯子Ａ１、Ａ２は、左右の支柱Ｄと、左右の支柱Ｄの間に水平に掛け渡された中空踏桟Ｋとから構成される。中空踏桟Ｋの両端部は支柱Ｄを貫通し、中空踏桟Ｋの中空部Ｖが支柱Ｄの側面に開口する。中空踏桟Ｋは、かしめ加工によって支柱Ｄに堅固に固定される。
【００３１】
図７（Ａ）及び図７（Ｂ）は、単梯子Ａ１、Ａ２を重合せ継手形態に連結すべく整列配置した状態を示す横断面図及び部分側面図である。
【００３２】
単梯子Ａ１、Ａ２は、支柱Ｄを互いに接触させた状態で整列配置される。単梯子Ａ１、Ａ２の中空踏桟Ｋは、梯子の正面から見て実質的に同一の位置又は重り合う位置に配置される。なお、連結作業は、通常は、単梯子Ａ１、Ａ２の支柱Ｄを地面又は床面に水平に置いた状態で実施される。
【００３３】
図８（Ａ）及び図８（Ｂ）は、一方の連結具２を単梯子Ａ２に装着した状態を示す横断面図及び部分側面図である。
【００３４】
連結具２の中空芯材３は、支柱Ｄの第１の側面（図において右側の側面）から単梯子Ａ２の中空部Ｖ内に挿入される。六角ボルト６は、支柱Ｄの第２の側面（図において左側の側面）から外方に突出する。
【００３５】
図９（Ａ）及び図９（Ｂ）は、他方の連結具２を単梯子Ａ１に更に装着した状態を示す横断面図及び部分側面図である。
【００３６】
連結具２の中空芯材３は、支柱Ｄの第２の側面から単梯子Ａ２の中空部Ｖ内に挿入される。六角ボルト６は、支柱Ｄの第１の側面から外方に突出する。
【００３７】
両側の係留板４は、図９（Ｂ）に矢印で示す如く、中空芯材３の中心軸線Ｘを中心に下方に回動される。下方開放形の湾曲溝７は六角ボルト６の雄螺子部６ｂを受入れ、係留板４は雄螺子部６ｂに係止する。
【００３８】
図１０（Ａ）及び図１０（Ｂ）は、係留板４を六角ボルト６に係止・係留した状態を示す横断面図及び部分側面図である。
【００３９】
雄螺子部６ｂに係止した係留板４は、梯子の構面に対して実質的に垂直な方向に配向される。この状態では、係留板４の外面に設けられた円形突起８は、ボルトヘッド６ｃに近接した位置に位置する。六角ボルト６は六角ナット５に螺子込まれ、係留板４に対して締付けられる。平座金６ａ及びバネ座金６ｄは、ボルトヘッド６ｃと六角ナット５との間において圧縮される。バネ座金６ｄは、ボルトヘッド６ｃから係留板４に作用する締付け力を緩和するように機能する。六角ナット５に対する六角ボルト６の締付けにより、係留板４は六角ボルト６に係留される。
【００４０】
締付け時の六角ボルト６の回転方向が図１０（Ｂ）に矢印で示されている。締付け力（締付けトルク）の回転方向は、係留板４を上方に回動させる方向に作用する力であるが、円形突起８は、平座金６ａに当接して係留板４の回動（追随又はつれ回り）を阻止する。係留板４の回動時に平座金６ａに衝合可能な円形突起８は、連結後の単梯子Ａ１、Ａ２を使用する際、六角ボルト６が係留板４から離脱するのを阻止するようにも機能する。
【００４１】
六角ボルト６の中心軸線Ｘは湾曲溝７の中心線上に位置し、従って、各連結具２の中空芯材３の中心軸線Ｘは、曲率半径ｒの間隔を隔てた位置に配置される。この状態では、中空芯材３の外周面と中空踏桟Ｋの内面との間に僅かな遊び寸法又は間隙が残されており、中空芯材３の中心軸線Ｘは、使用の際（起立時）に僅かな距離だけ水平方向に更に接近することができる。
【００４２】
図１１は、使用状態における梯子連結装置１の状態を示す部分側面図である。
【００４３】
梯子連結装置１によって連結された単梯子Ａ１、Ａ２は、使用において垂直位置又は傾斜位置に起立する。下側の単梯子Ａ１は、地盤又は床面等に接地し、支持されるが、単梯子Ａ１によって支持された上側の単梯子Ａ２は、重力の作用により、単梯子Ａ１に対して相対的に下方変位しようとする。上記のとおり、中空芯材３の中心軸線Ｘは、僅かな距離だけ水平方向に更に接近し得るので、単梯子Ａ２は単梯子Ａ１に対して下方に僅かに変位し、中心軸線Ｘ間の距離は、使用時の水平距離ｒ'に短縮する。この結果、中空芯材３の外周面と中空踏桟Ｋの内面との間の僅かな遊びが消失し又は吸収され、中空芯材３の外周面は中空踏桟Ｋの内面に接触する。
【００４４】
かくして、各連結具２の中空芯材３は中空踏桟Ｋの内面に当接し、中心軸線Ｘの相対位置は固定され、この結果、上下の単梯子Ａ１、Ａ２は、図２に示す如く、２つの梯子連結装置１によって堅固に連結される。
【００４５】
本発明者等は、梯子連結装置１によって連結された単梯子Ａ１、Ａ２に関し、JIS S 1121に規定された「はしごの支柱の強度試験」、「伸縮形はしごの上はしご止め具の強度試験」及び「はしごのねじれ強度試験」を実施した。これらの試験の結果、梯子連結装置１によって単梯子Ａ１、Ａ２を連結してなる梯子は、JIS S 1121に規定された支柱の強度、止め具の強度及びねじれ強度を十分に発揮することが確認された。
【００４６】
以上、本発明の好適な実施形態及び実施例について詳細に説明したが、本発明は上記実施形態及び実施例に限定されるものではなく、特許請求の範囲に記載された本発明の範囲内で種々の変形又は変更が可能である。
【００４７】
例えば、上記実施例では、梯子連結装置は鋼製の梯子連結具を有するが、梯子連結具をアルミニウム合金等の合金製連結具として製作しても良い。
【００４８】
また、上記実施例では、単梯子を２連に連結してなる梯子について説明したが、単梯子を３連以上に連結してなる梯子において本発明の梯子連結装置を使用しても良い。
【００４９】
更には、上記実施例は、２つの梯子連結具を重合せ継手の部分に配置した構成のものであるが、３つ以上の梯子連結具を重合せ継手の部分に配置しても良い。
【００５０】
また、梯子連結具を構成する各部材の形状及び寸法は、単梯子の形状及び寸法等に相応して適宜設計変更することができる。
【産業上の利用可能性】
【００５１】
本発明は、単梯子を重合せ継手によって連結するための梯子連結装置に適用される。本発明の梯子連結装置によれば、番線結束等による緊締作業によって単梯子を連結することなく、工場製作又は工場加工された梯子連結具を用いて迅速且つ確実に単梯子を連結することができるので、実用的に極めて有利である。
【００５２】
また、各梯子連結具は、芯材、係留部材及び係止具を一体的に組付け可能な構成を有するので、各構成部品の逸失又は散逸を防止することができ、従って、取扱いの利便性や、携帯性又は可搬性に優れる。
【００５３】
更には、従来のように番線で梯子を結束した場合、番線は、連結部解体時に廃棄処分されるのに対し、本発明の梯子連結装置は、繰返し使用することができ、しかも、耐久性の高い金属製品として市場に供給し得る構成のものであるので、その実用的価値は顕著である。
【符号の説明】
【００５４】
１  梯子連結装置
２  Ｌ形連結具
３  中空芯材
４  係留板
５  六角ナット
６  六角ボルト
６ａ  平座金
６ｂ  雄螺子部
６ｃ  ボルトヘッド
６ｄ  バネ座金
７  湾曲溝（又は切欠き部）
８  円形突起
Ａ１、Ａ２  単梯子
Ｄ  支柱
Ｋ  中空踏桟
Ｌ  全長
Ｓ  重合せ継手の長さ
Ｔ  総全長
Ｖ  中空部
Ｘ  中心軸線
ｒ  曲率半径
ｒ'  水平距離
【図１】
0005492361.tif 000002
【図２】
0005492361.tif 000003
【図３】
0005492361.tif 000004
【図４】
0005492361.tif 000005
【図５】
0005492361.tif 000006
【図６】
0005492361.tif 000007
【図７】
0005492361.tif 000008
【図８】
0005492361.tif 000009
【図９】
0005492361.tif 000010
【図１０】
0005492361.tif 000011
【図１１】
0005492361.tif 000012
【図１２】
0005492361.tif 000013